(57)【特許請求の範囲】
【請求項１】
使用済みのワックス成形物を加熱溶融する加熱溶融手段と、前記加熱溶融手段によって加熱溶融された流体ワックスから不純物を濾過するフィルター手段と、前記フィルター手段を通過したワックス流体を供給するワックス供給手段とを備えたワックス再生機において、前記ワックス成形物を収納するケースと前記ケースに開閉自在に取り付けられる蓋体とから成る再生機本体を備え、前記フィルター手段は、前記ケース内で前記加熱溶融手段によって流動化されて下降するワックスが通過するように前記ケース内に配置された少なくとも１つのフィルターから成り、前記加熱溶融手段は、少なくとも前記蓋体に取り付けられたヒータと前記蓋体に取り付けられ前記再生機本体内の空気を前記ヒータを経て強制循環する送風機とから成り、前記加熱溶融手段は、前記蓋体に設けられ前記送風機によって吸引される空気を前記ヒータを経て前記ケース内に戻すように空気を案内する空気案内通路を有し、前記ワックス供給手段は、前記ケース内で前記フィルター手段の下流側に開口する開口部から延び前記フィルターを通過して純化された流体ワックスを供給する供給導管を含んでいることを特徴とするワックス再生機。
【請求項２】
請求項１に記載のワックス再生機であって、前記ケースは、前記流体ワックスを前記ケースの底面の一カ所に集めるように傾斜する傾斜底面を有することを特徴とするワックス再生機。
【請求項３】
請求項２に記載のワックス再生機であって、前記傾斜底面は、中央に向かって傾斜する逆円錐状の底面であり、前記フィルター手段のフィルターは、前記傾斜底面に載置されていることを特徴とするワックス再生機。
【請求項４】
請求項１乃至３のいずれかに記載のワックス再生機であって、前記ヒータは、前記蓋体に環状に延びるように配置され、また前記送風機は、前記蓋体の中央に配置され、前記前記空気案内通路は、前記ケースの中央で上方に向けて空気を吸引し、前記ヒータを経て前記ケースの縦内面に沿って加熱空気を下降するように案内する案内部材から成っていることを特徴とするワックス再生機。
【請求項５】
請求項４に記載のワックス再生機であって、前記案内部材は、前記ヒータを保持する断熱材から成っていることを特徴とするワックス再生機。
【請求項６】
請求項１乃至５のいずれかに記載のワックス再生機であって、前記送風機は、前記蓋体の外部に配置されたモータ部と前記蓋体の内部に配置されたブレード部とから成り、前記モータ部の出力軸は、前記蓋体を貫通して前記ブレード部を支持していることを特徴とするワックス再生機。
【請求項７】
請求項１乃至６のいずれかに記載のワックス再生機であって、前記ケースの外側に間隔をあけて配置された多孔板の如き保護カバーを更に備えていることを特徴とするワックス再生機。
【請求項８】
請求項７に記載のワックス再生機であって、前記蓋体は、前記保護カバーに蝶番で開閉自在に支持されていることを特徴とするワックス再生機。
【請求項９】
請求項１乃至８のいずれかに記載のワックス再生機であって、前記フィルター手段は、前記ケース内で下方に向かって順次メッシュ寸法が小さくなる複数のフィルターから成っていることを特徴とするワックス再生機。
【請求項１０】
請求項１乃至９のいずれかに記載のワックス再生機であって、前記加熱溶融手段は、前記ケースの下方部分に設けられて流体ワックスを保温する補助ヒータを更に含んでいることを特徴とするワックス再生機。
【発明の詳細な説明】
【０００１】
【発明の属する技術分野】
本発明は、例えば、歯科医が無歯顎患者の咬合検査に用いられる咬合堤の如きワックス成形物の使用済み後、このワックス成形物を再生するのに用いられるワックス再生機の改良に関するものである。
【０００２】
【従来の技術】
咬合堤は、無歯顎患者の咬合検査に用いられるが、この咬合堤は、バーナ等の炎で溶融しても、温度管理ができないため、ワックスの成分の分離や劣化を生じるため、再使用することができなかった。また、検査中に混入する不純物やその他の成分がバーナの炎によって燃焼すると、有害なダイオキシンを発生するので、環境上好ましくなく、従って使用済みの咬合堤は、使用後、再使用することなく廃棄されていた。
【０００３】
一方、最近、例えば、種々の型を形成する目的でワックス製の中子が用いられたり、半導体等の精密品の表面を研磨する際に部品を研磨プレートに固定する目的でワックス製の固定部材が用いられており、これらの工業用のワックス成形物を再使用する目的で種々のワックス再生機が用いられている（例えば、特公平１−３７９６５号公報参照）。
【０００４】
このワックス再生機は、固形のワックス（ワックス成形物）を収納する上部容器（るつぼ）と、再生ワックス（ワックス流体）を収納する下部容器（るつぼ）と、これらの上下の容器の間に配置され複数のフィルター手段を含む中間容器と、これらの容器を囲むように配置されたヒータ手段とから成っている。
【０００５】
このワックス再生機は、ワックスを直接炎で加熱するのではなく、従って温度管理が容易でワックスの成分の分解や劣化を生ずることがなく、また不純物が除去されるので、再使用することができるワックスを再生することができる。
【０００６】
しかし、このワックス再生機は、ヒータ手段からの輻射熱によってワックスを溶融するので、熱効率が低い上に、固形ワックスの収納、流体ワックスの取り出し及びフィルター手段の洗浄は、上中下の３つの容器を分解して行わなければならないので、取り扱いが悪く、ワックスの再生作業を効率よく行うことができない欠点があった。
【０００７】
【発明が解決しようとする課題】
本発明が解決しようとする１つの課題は、ワックスを高い熱効率で再生することができるワックス再生機を提供することにある。
【０００８】
本発明が解決しようとする他の課題は、ワックス成形物の収納、流体ワックスの取り出し及びフィルター手段の洗浄を容易に行うことができ、従って取り扱いが容易でワックスの再生作業を効率よく行うことができるワックス再生機を提供することにある。
【０００９】
【課題を解決するための手段】
本発明の基本的な課題解決手段は、使用済みのワックス成形物を加熱溶融する加熱溶融手段と、この加熱溶融手段によって加熱溶融されたワックス流体から不純物を濾過するフィルター手段と、このフィルター手段を通過した流体ワックスを供給する供給手段とを備えたワックス再生機において、ワックス成形物を収納するケースとこのケースに開閉自在に取り付けられる蓋体とから成る再生機本体を備え、フィルター手段は、ケース内で加熱溶融手段によって流動化されて下降するワックスが通過するようにケース内に配置された少なくとも１つのフィルターから成り、加熱溶融手段は、少なくとも蓋体に取り付けられたヒータと蓋体に取り付けられ再生機本体内の空気をヒータを経て強制循環する送風機とから成り、この加熱溶融手段は、蓋体に設けられ送風機によって吸引される空気をヒータを経てケース内に戻すように空気を案内する空気案内通路を有し、ワックス供給手段は、ケース内でフィルター手段の下流側に開口する開口部から延びフィルターを通過した流体ワックスを供給する供給導管を含んでいることを特徴とするワックス再生機を提供することにある。
【００１０】
本発明の基本的な課題解決手段において、ケースは、流体ワックスをケースの底面の一カ所に集めるように傾斜する傾斜底面を有するのが好ましく、またこの傾斜底面は、中央に向かって傾斜する逆円錐状の底面であるのが好ましく、フィルター手段のフィルターは、この逆円錐状の傾斜底面に載置することができる。
【００１１】
ヒータは、蓋体に環状に延びるように配置され、また送風機は、蓋体の中央に配置され、空気案内通路は、ケースの中央で上方に向けて空気を吸引し、ヒータを経てケースの縦内面に沿って加熱空気を下降するように案内する案内部材から成っているのが好ましい。この場合、この案内部材は、ヒータを保持する断熱材とすることができる。
【００１２】
また、送風機は、蓋体の外部に配置されたモータ部とこの蓋体の内部に配置されたブレード部とから成り、モータ部の出力軸は、蓋体を貫通してブレード部を支持することができる。
【００１３】
更に、ケースの外側に間隔をあけて配置された多孔板の如き保護カバーを更に備えているのが好ましく、また蓋体は、この保護カバーに蝶番で開閉自在に支持することができる。
【００１４】
フィルター手段は、ケース内で下方に向かって順次メッシュ寸法が小さくなる複数のフィルターから成っていてもよく、また、加熱溶融手段は、ケースの下方部分に設けられて流体ワックスを保温する補助ヒータを更に含んでいてもよい。
【００１５】
このように、使用済みの固形のワックス成形物は、ケースの蓋体内に配置されて蓋体とケースとの空間内を送風機で強制的に循環される熱風で溶融すると、管理された温度の下で効率よくワックス成形物を溶融することができ、ワックスの成分の分離や劣化を生ずることなく、ワックス成形物を容易に溶融することができる。
【００１６】
また、ケースは、フィルター手段の上方であって再生すべき固形のワックス成形物を収納する空間とフィルター手段の下方であって再生された流体ワックスを保持する傾斜底面を含む空間とを有し、このケースは、蓋体を開くことによって再生すべきワックス成形物を容易に収納することができる上に再生済みの流体ワックスを傾斜底面に開口する開口部から延びる供給導管から取り出すことができ、従って固形ワックスの収納、流体ワックスの取り出しを容易に行うことができる。
【００１７】
特に、供給導管は、その供給口（例えばコック）の下方に配置されるワックス成形用型枠に流体ワックスを容易に注入するのに役立ち、再生後の後の処理を一層容易にする。
【００１８】
更に、フィルター手段のフィルターは、ケース内の流体ワックスを回収するのを容易にする傾斜底面に載置されると、フィルターを支持すべき手段を特別に必要とすることがなく、ワックスの回収とフィルターの清掃とを効率よく行うことができる。
【００１９】
【発明の実施の形態】
本発明の実施の形態を図面を参照して詳細に述べると、図１及び図２は本発明に係るワックス再生機１０を示し、このワックス再生機１０は、再生機本体１２と、使用済みのワックス成形物１を加熱溶融する加熱溶融手段１４と、この加熱溶融手段１４によって加熱溶融されたワックスから不純物を濾過するフィルター手段１６と、このフィルター手段１６を通過して純化された流体ワックス２を供給するワックス供給手段１８とを備えている。
【００２０】
再生機本体１２は、ワックス成形物１を収納する円筒形ケース２０と、このケース２０に開閉自在に取り付けられる蓋体２２とから成っている。ケース２０及び蓋体２２は、ステンレスから作られている。図示の形態では、ケース２０の外側にケース２０の外周面から間隔をあけて配置されたステンレス製多孔板の形態の保護カバー２４を含み、ケース２０は、その上端の外向きフランジ２０Ｆを保護カバー２４の上端に適宜の手段で一体に固定されており、蓋体２２は、この保護カバー２４に蝶番２６によって開閉自在に支持されている。なお、図１において符号２２Ｈは、蓋体２２を開く際に蓋体２２を持ち上げるハンドルを示す。
【００２１】
図示の形態では、ワックス再生機１０は、加熱溶融手段１４の後に述べるヒータや送風機を制御する制御盤２８を備え、保護カバー２４は、周方向に間隔をあけて設けられた複数のステー３０を介して制御盤２８のケースに取り付けられている。なお、図２において、符号６２は電源スイッチ、符号６４はパイロットランプ、符号６６はタイマー、符号６８は自動温度調節器を示し、これらは制御盤２８の正面パネルに設けられている。
【００２２】
図１及び図３に示すように、ケース２０は、中央に向かって下向きに傾斜する傾斜底面２０Ｂを有し、フィルター手段１６は、ケース２０の傾斜底面２０Ｂに載置された少なくとも１つのフィルター、図示の例では２つのフィルター３２、３４から成っている。上下のフィルター３２、３４は異なる径法を有し、従って、これらのフィルターは、傾斜底面２０Ｂに上下に間隔をあけて配置される。下方のフィルター３４は、上方のフィルター３２よりも、小さなメッシュ寸法を有し、順次粗い不純物を除去するようにしている。３つ以上のフィルターを有する場合には、最も下方のフィルターが最も小さなメッシュ寸法を有する。
【００２３】
これらのフィルター３２、３４は、図１０に示すように、耐熱性ステンレス網３６Ｂを環状縁材３６Ｅで縁取りして形成されている。一例では、フィルター３２は、５０メッシュであり、フィルター３４は、２００メッシュであるが、これらのフィルターは、５０〜３００メッシュの間で適宜に選択される。なお、図１０（Ｂ）に示すように、フィルター３２、３４をケース２０内から取り出すのを容易にするつまみ状突起３６ｐが環状縁部材３６Ｅの周方向に間隔をあけて設けられている。
【００２４】
加熱溶融手段１４は、少なくとも蓋体２２に取り付けられたヒータ３８と蓋体２２に取り付けられ再生機本体１２内の空気をヒータ３８を経て強制循環する送風機４０とから成っている。この加熱溶融手段１４は、蓋体２２側の送風機４０によってケース２０から吸引される空気をヒータ３８を経てケース２０内に戻すように空気を案内する空気案内通路４２を有する。
【００２５】
蓋体２２は、図１、図３、図４及び図６に示すように、冠状のステンレス製本体２２Ｂの内底面に取り付けられた上部断熱材４４（図５参照）と、この上部断熱材４４の下面でその外周縁に沿って取り付けられた環状の外側断熱材４６（図６参照）と、この外側断熱材４６の内側に外側断熱材４６から間隔をあけて配置された環状の内側断熱材４８（図８参照）とを含み、内側断熱材４８は、図１に示すように、外側断熱材４６の下面に貼り付けられた網状の通気性ホルダー５０に保持されている。
【００２６】
断熱材４４は、例えば、登録商標「カオウール」又は「カオウール」と英国ＩＣＩ社製のサフィル（登録商標）の如きアルミナ（酸化アルミニウム）繊維との組合せの断熱性ボードとすることができ、また断熱材４６、４８も同様にアルミナ繊維を少量の有機又は無機バインダーで固化して形成された断熱性ボードとすることができる。
【００２７】
ヒータ３８は、図１及び図７に示すように、環状の電気コイルヒータ（露出ヒータ）３８Ａから成っており、この環状のコイルヒータ３８Ａは、上部断熱材４４の下面と内外の断熱材４６、４８との間の空間でこれらの断熱材４４、４６、４８によって保持されている。
【００２８】
空気案内通路４２は、内側断熱材４８の内側通路４２Ｉと、上部断熱材４４と内側断熱材４８との間の上部通路４２Ｕと内外の断熱材４６と４８との間の外側通路４２Ｏとから成っており、空気は、送風機４０によってケース２０の中央から蓋体２２内の内側通路４２Ｉに吸引され、上部通路４２Ｕ、ヒータ３８、外側通路４２Ｏを経てケース２０の内周に沿って下方に戻される。
【００２９】
送風機４０は、図１及び図７に示すように、蓋体２２の中央に配置されており、この蓋体２２の外部に配置されたモータ部４０Ｍとこの蓋体２２の内部に配置されたブレード部４０Ｂとから成り、モータ部４０Ｍの出力軸４０Ｓは、蓋体２２及び上部断熱材４４とを貫通してブレード部４０Ｂを支持している。なお、図１において符号５２は、送風機４０のモータ部４０Ｍから間隔をあけて覆うように蓋体２２に取り付けられた保護カバーであり、この保護カバー５２は、ケース２０の保護カバー２４と同様にステンレス製多孔板とすることができる。
【００３０】
図示の形態では、加熱溶融手段１４は、ケース２０の傾斜底面２０Ｂに外面に設けられた補助ヒータ（これは例えばシリコン被覆ヒータから成っている）５４を更に含んでおり、この補助ヒータ５４は、傾斜底面２０Ｂ上の純化された流体ワックスを保温する機能を有する。図示していないが、この補助ヒータ５４は、適宜の断熱カバーによって覆われている。
【００３１】
ワックス供給手段１８は、図１及び図２に示すように、ケース２０の傾斜底面２０Ｂの中央の最も低い位置で開口する開口部２０Ｏから延びる供給導管５６と、この供給導管５６に取り付けられたコック５８とから成っている。コック５８を開くと、保温されて流体状態にあるワックスが取り出される。なお、図１に示すように、コック５８のまわりにもワックス保温用の補助ヒータ６０を設けるのが好ましい。この補助ヒータ６０もそのまわりには断熱性のカバーを有する。また、供給導管５６のまわりにも同様の補助ヒータを設けることができる。なお、図１，図２及び図３でコック５８の向き又は配置が異なって示されているが、いずれの形態のものを用いてもよい。
【００３２】
次に、ワックス再生機１０の使用状態を述べると、ハンドル２２Ｈを把持して再生機本体１２の蓋体２２を開き、ケース２０内に使用済みの固形のワックス成形物１、例えば歯科用咬合堤を投入する。制御盤２８の電源スイッチ６２を入れ、ヒータ３８及び補助ヒータ５４、６０を所定の温度に制御しながら通電すると同時に送風機４０を運転する。ワックスの軟化温度は６０゜Ｃ、溶融温度は８０゜Ｃ程度と比較的低い温度であるので、これらのヒータ３８、５４、６０の温度は、比較的低くてよく、通常は８５゜Ｃ程度に保持される。
【００３３】
図１に示すように、送風機４０が運転されると、ケース２０と蓋体２２との間の空間内の空気は、蓋体２２内の空気案内通路４２を経てヒータ３８によって暖められながら循環する。更に詳細に述べると、ケース２０内の中央の空気は、空気案内通路４２の内側通路４２Ｉを経て蓋体２２内に吸引され、上部通路４２Ｕを経てヒータ３８によって加熱されながら外側通路４２Ｉを経てケース２０内の内周に沿ってケース２０内に戻されてワックス成形物１相互の隙間の中に入り込んでこれらを加熱する。ワックスを加熱した空気は、送風機４０によって再び蓋体２２内に吸引され、以後同様の動作が繰り返される。
【００３４】
従って、ケース２０内でフィルター手段１６上にある固形のワックス成形物１は、次第に軟化し、流動化する。このようにして流動化されたワックスは、フィルター手段１６の２つのフィルター３２、３４のメッシュを通過してワックス内の不純物を除去しながら濾過され、傾斜底面２０Ｂの開口部に向けて下降する。
【００３５】
このようにして純化された流体ワックス２は、供給導管５６を経てコック５８を有する端部で流動状態を保ったまま待機している。従って、コック５８の下方に例えば咬合堤成形用型枠（図示せず）を位置させてコック５８を開くと、純化された流体ワックスがこの型枠内に注入されて所定の形状の咬合堤を再び成形することができる。
【００３６】
咬合堤内に入り込む不純物としてはこの咬合堤を使用する前に炎などで加熱軟化する際に入り込む煤やごみなどがあり、フィルター３２、３４は、これらの不純物を除去する程度のメッシュ寸法とする。上方のフィルター３２は、目が粗い大きなメッシュ寸法例えば５０メッシュ程度のメッシュ寸法を有し、大きな不純物を除去する。次のフィルター３４は、目が細かい小さなメッシュ寸法、例えば２００〜３００メッシュ程度の寸法を有し、細かい不純物を除去する。
【００３７】
図１及び図３の形態では、ケース２０の傾斜底面２０Ｂは、中央に向かって下向きに傾斜する逆円錐状の形態であったが、図４に示すように、ケース２０の一側から他側に向けて次第に傾斜する一方向傾斜の形態であってもよいし、また流体ワックスを流下することができれば、なだらかな傾斜面以外に階段状の傾斜底面であってもよい。
【００３８】
図１及び図３の形態では、逆円錐状の傾斜底面２０Ｂは、フィルターの直径を異ならせることによって複数のフィルターを相互に間隔をあけて載置することができるので、特別なフィルター保持部材を必要とすることがなく有利であるが、図４の形態の場合には、ケース２０内の底面近くにフィルターを保持する複数のピン状の水平受け部材をケース内周面に沿って間隔をあけて設ける等の適宜のフィルター保持手段を設けることができる。また、この場合、各フィルター毎に水平受け部材を設けてもよいし、最も下側のフィルター用の水平受け部材を設け、上方のフィルターは、下方のフィルターにスペーサを介して保持するようにしてもよい。
【００３９】
図示の形態では、ケース２０は、円筒形であったが、角筒その他適宜の形態とすることができる。また、空気の循環経路は、ケース２０内の外側から吸引して内側からケース２０内に戻すような経路であってもよい。更に、ヒータ３８は、環状コイルヒータ以外の適宜の形態とすることができ、またこのヒータ３８は、蓋体２２内の空気案内通路の途中に配置されれば、任意の位置に配置することができる。
【００４０】
【発明の効果】
本発明によれば、上記のように、使用済みの固形のワックス成形物は、ケースの蓋体内に配置されて蓋体とケースとの空間内を送風機で強制的に循環される熱風で溶融するので、管理された温度の下で効率よくワックス成形物を溶融することができ、ワックスの成分の分離や劣化を生ずることなく、ワックス成形物を容易に溶融することができる。
【００４１】
また、ケースは、フィルター手段の上方であって再生すべき固形のワックス成形物を収納する空間とフィルター手段の下方であって再生された流体ワックスを保持する底面を含む空間とを有し、このケースは、蓋体を開くことによって再生すべきワックス成形物を容易に収納することができる上に再生済みの流体ワックスをケースに開口する開口部から取り出すことができ、従って固形ワックスの収納、流体ワックスの取り出しを容易に行うことができる。
【００４２】
特に、ケースの傾斜底面は、ワックスを集めて回収するのを容易にすると共にその開口部を経て供給導管の出口の下方に配置されるワックス成形用型枠等に流体ワックスを容易に注入するのに役立ち、再生後の後処理を一層容易にする。
【００４３】
更に、フィルター手段のフィルターは、ケース内の逆円錐状の傾斜底面に載置されていると、フィルターを保持すべき手段を特別に必要とすることがなく、ワックスの回収とフィルターの清掃とを効率よく行うことができる。
【図面の簡単な説明】
【図１】本発明の一つの実施の形態によるワックス再生機の一部を断面にしないで示された側断面図である。
【図２】図１のワックス再生機を段階的に水平断面にして正面から示す水平断面図である。
【図３】図１のワックス再生機のワックス供給手段を有する部分の正面図である。
【図４】図３と同じであるが、異なる傾斜底面を有するワックス再生機の一部の正面図である。
【図５】図１及び図２のワックス再生機の蓋体の内面に取り付けられる上部断熱材を示し、同図（Ａ）は、その下面から見た斜視図、同図（Ｂ）は、その中央断面図である。
【図６】図５の上部断熱材の下面でその外周縁に沿って取り付けられた外側断熱材を示し、同図（Ａ）は、その下面から見た斜視図、同図（Ｂ）は、その中央断面図である。
【図７】図５の上部断熱財の下面と図４の外側断熱材の内周面とに沿って取り付けられた環状のコイルヒータを示し、同図（Ａ）は、その斜視図、同図（Ｂ）は、その中央断面図である。
【図８】図７の環状コイルヒータの内側に沿って設けられた内側断熱材を示し、同図（Ａ）は、その下面から見た斜視図、同図（Ｂ）は、その中央断面図である。
【図９】図１及び図２のワックス再生機に用いられる送風機を示し、同図（Ａ）は、その下側から見た斜視図、同図（Ｂ）は、その中央断面図である。
【図１０】図１及び図２のワックス再生機に用いられる送風機を示し、同図（Ａ）は、その下側から見た斜視図、同図（Ｂ）は、その中央断面図である。
【符号の説明】
１  使用済みのワックス成形物
２  流体ワックス
１０  ワックス再生機
１２  再生機本体
１４  加熱溶融手段
１６  フィルター手段
１８  ワックス供給手段
２０  ケース
２０Ｆ  外向きフランジ
２０Ｂ  傾斜底面
２０Ｏ  開口部
２２  蓋体
２２Ｂ  蓋体本体
２２Ｈ  ハンドル
２４  保護カバー
２６  蝶番
２８  制御盤
３０  ステー
３２  上部フィルター
３４  下部フィルター
３６Ｂ  断熱性多孔ボード
３６Ｅ  環状縁材
３６ｐ  つまみ状突起
３８  ヒータ
３８Ａ  環状のコイルヒータ
４０  送風機
４０Ｍ  モータ部
４０Ｂ  ブレード部
４０Ｓ  出力軸
４２  空気案内通路
４２Ｉ  内側通路
４２Ｕ  上部通路
４２Ｏ  外側通路
４４  上部断熱材
４６  外側断熱材
４８  内側断熱材
５０  網状の通気性ホルダー
５２  保護カバー
５４  補助ヒータ
５６  供給導管
５８  コック
６０  補助ヒータ
６２  電源スイッチ
６４  パイロットランプ
６６  タイマー
６８  自動温度調節器
【図１】
0004170550.tif 000002
【図２】
0004170550.tif 000003
【図３】
0004170550.tif 000004
【図４】
0004170550.tif 000005
【図５】
0004170550.tif 000006
【図６】
0004170550.tif 000007
【図７】
0004170550.tif 000008
【図８】
0004170550.tif 000009
【図９】
0004170550.tif 000010
【図１０】
0004170550.tif 000011